(57)【要約】【課題】互いに上下が逆転した２つの設置姿勢で機能する沸騰冷却システムを提供する。【解決手段】沸騰冷却システムは、第１の受熱部３２、第１の放熱部３６、第１の循環路７１，７２、第２の放熱部３８及び第２の循環路７３，７４を有する。第１の受熱部３２は、外部から熱を吸収して液相の冷媒４０を気相の冷媒４２に変換する。第１及び第２の放熱部３６，３８は、第１の受熱部３２を挟んで両側に配置され、放熱により気相の冷媒を液相の冷媒に変換する。第１の循環路は、第１の受熱部３２と第１の放熱部３６との間で冷媒を循環させる。第２の循環路は、第１の受熱部３２と第２の放熱部３８との間で冷媒を循環させる。第１の循環路と第２の循環路とは第１の受熱部３２で互いに連通している。【選択図】図３
2015118305.tif 000002
【特許請求の範囲】
【請求項１】
外部から熱を吸収して液相の冷媒を気相の冷媒に変換する第１の受熱部と、
前記第１の受熱部を挟んで両側に配置され、放熱により気相の冷媒を液相の冷媒に変換する第１及び第２の放熱部と、
前記第１の受熱部と前記第１の放熱部との間で冷媒を循環させる第１の循環路と、
前記第１の受熱部と前記第２の放熱部との間で冷媒を循環させる第２の循環路と、を有し、
前記第１の循環路と前記第２の循環路とは前記第１の受熱部で互いに連通している、沸騰冷却システム。
【請求項２】
請求項１に記載の沸騰冷却システムであって、
前記第１の放熱部は、前記第１の受熱部に関して前記第２の放熱部と対称の位置に配置されている、沸騰冷却システム。
【請求項３】
請求項１又は２に記載の沸騰冷却システムであって、
前記第１の受熱部と、前記第１の受熱部で吸収する熱を発する加熱源と、を少なくとも取り囲む防塵構造を有し、
前記第１の放熱部及び前記第２の放熱部は前記防塵構造の外側に配置されている、沸騰冷却システム。
【請求項４】
請求項３に記載の沸騰冷却システムであって、
前記防塵構造の内部で空気を循環させる送風装置を有する、沸騰冷却システム。
【請求項５】
請求項１から４のいずれか１項に記載の沸騰冷却システムであって、
前記第１の受熱部の熱交換面が重力方向に沿って配置されている、沸騰冷却システム。
【請求項６】
請求項１から５のいずれか１項に記載の沸騰冷却システムであって、
前記第１及び第２の放熱部の熱交換面が水平方向に沿って配置されている、沸騰冷却システム。
【請求項７】
請求項１から６のいずれか１項に記載の沸騰冷却システムであって、
前記第１の受熱部と前記第１の放熱部と前記第２の放熱部とは、前記配管により互いに接続されることによって一体的に形成されている、沸騰冷却システム。
【請求項８】
請求項１から７のいずれか１項に記載の沸騰冷却システムであって、
前記第１の放熱部と前記第２の放熱部との間に配置され、外部から熱を吸収して液相の冷媒を気相の冷媒に変換する第２の受熱部と、
前記第２の受熱部と前記第１の放熱部との間で冷媒を循環させる第３の循環路と、
前記第２の受熱部と前記第２の放熱部との間で冷媒を循環させる第４の循環路と、を有し、
前記第３の循環路と前記第４の循環路とは前記第２の受熱部で互いに連通している、沸騰冷却システム。
【請求項９】
請求項１から８のいずれか１項に記載の沸騰冷却システムを有する投写型表示装置であって、
光源と、
前記光源から出射した光の照度分布を均一化するインテグレータユニットと、
前記光源から出射した光から画像光を形成する光学ユニットと、
前記光学ユニットで生成された画像光を投写する投写レンズと、をさらに有し、
前記第１の受熱部は、前記インテグレータユニットと前記光学ユニットの少なくとも一方で発生した熱を吸収する、投写型表示装置。
【請求項１０】
請求項８に記載の沸騰冷却システムを有する投写型表示装置であって、
光源と、
前記光源から出射した光の照度分布を均一化するインテグレータユニットと、
前記光源から出射した光から画像光を形成する光学ユニットと、
前記光学ユニットで生成された画像光を投写する投写レンズと、をさらに有し、
前記第１の受熱部は前記インテグレータユニットで発生した熱を吸収し、
前記第２の受熱部は前記光学ユニットで発生した熱を吸収する、投写型表示装置。
【発明の詳細な説明】
【技術分野】
【０００１】
本発明は、冷媒の相変化を伴う沸騰冷却システム、及び当該沸騰冷却システムを備えた投写型表示装置に関する。
【背景技術】
【０００２】
例えば投写型表示装置のような電子機器に、冷媒の沸騰に伴う気化熱を利用して冷却を行う沸騰冷却方式の冷却システムを搭載することが提案されている。特開２００９−２６７１８１号公報（以下、特許文献１という。）に記載の沸騰冷却方式の冷却システムは、冷却部と、放熱部と、ポンプと、を有する。冷却部は、冷媒の沸騰に伴う気化熱により発熱箇所を冷却する。沸騰した冷媒は、放熱部へ移動する。放熱部は、沸騰した冷媒を放熱する。この放熱により、冷媒は放熱部で液体に変わる。液体に変わった冷媒は、再び冷却部へ移動する。ポンプは、放熱部と冷却部との間で冷媒を循環させる。ポンプと冷却部との間には、ポンプから冷却部に向かう冷媒を加熱するための加熱手段が設けられている。
【先行技術文献】
【特許文献】
【０００３】
【特許文献１】特開２００９−２６７１８１号公報
【発明の概要】
【発明が解決しようとする課題】
【０００４】
特許文献１に記載の冷却システムでは、沸騰した冷媒と液体の冷媒とが混在する。沸騰した冷媒は重力方向に対して上方へ移動し易く、液体の冷媒は重力方向に対して下方へ移動し易い。そのため、沸騰冷却システムの設置姿勢によっては、冷却効果が低下したり、冷却機能が発揮されなかったりすることがある。
【０００５】
特に、投写型表示装置のなかには、床や台などの平面上に置かれた床置き設置姿勢と、天井等に吊るされた天吊り設置姿勢とで設置可能なものがある。天吊り設置姿勢は、床置き設置姿勢とは上下反転した姿勢となる。そこで、床置き設置姿勢と天吊り設置姿勢の両方で機能する沸騰冷却システムが望まれる。
【０００６】
本発明の目的は、互いに上下が逆転した２つの設置姿勢で機能する沸騰冷却システム、及び当該沸騰冷却システムを備えた投写型表示装置を提供することにある。
【課題を解決するための手段】
【０００７】
一実施形態に係る沸騰冷却システムは、第１の受熱部と、第１の放熱部と、第１の循環路と、第２の放熱部と、第２の循環路と、を有する。第１の受熱部は、外部から熱を吸収して液相の冷媒を気相の冷媒に変換する。第１及び第２の放熱部は、第１の受熱部を挟んで両側に配置され、放熱により気相の冷媒を液相の冷媒に変換する。第１の循環路は、第１の受熱部と第１の放熱部との間で冷媒を循環させる。第２の循環路は、第１の受熱部と第２の放熱部との間で冷媒を循環させる。第１の循環路と第２の循環路とは第１の受熱部で互いに連通している。
【０００８】
一実施形態に係る投写型表示装置は、上記の沸騰冷却システムを有する。この投写型表示装置は、光源と、光源から出射した光の照度分布を均一化するインテグレータユニットと、光源から出射した光から画像光を形成する光学ユニットと、光学ユニットで生成された画像光を投写する投写レンズと、をさらに有していてよい。上記の沸騰冷却システムの第１の受熱部は、インテグレータユニットと光学ユニットの少なくとも一方で発生した熱を吸収することができる。
【発明の効果】
【０００９】
本発明によれば、互いに上下が逆転した２つの設置姿勢で機能する沸騰冷却システムを提供することができる。
【図面の簡単な説明】
【００１０】
【図１】図１は、一実施形態に係る投写型表示装置の構造を示す模式図である。
【図２】図２は、図１の矢印２Ａの方向からみたときの、投写型表示装置に含まれる沸騰冷却システムの各構成要素の位置を示す概略図である。
【図３】図３は、床置き設置姿勢における沸騰冷却システムの構成を示す概略図である。
【図４】図４は、天吊り設置姿勢における沸騰冷却システムの構成を示す概略図である。
【図５】図５は、一実施形態における沸騰冷却システムの構成を示す模式図である。
【図６】図６は、一実施形態における光学エンジンの構成を示す模式図である。
【発明を実施するための形態】
【００１１】
図１は、一実施形態に係る投写型表示装置の構造を示す模式図である。なお、図１では、投写型表示装置の主要部以外の構成は省略されている。
【００１２】
投写型表示装置１０は、第１の設置姿勢と、第１の設置姿勢と逆向きの第２の設置姿勢とで設置可能である。第１の設置姿勢は、床や台などの平面上に置かれた姿勢であってよく、「床置き設置姿勢」と称される。第２の設置姿勢は、天井等に吊るされた姿勢であってよく、「天吊り設置姿勢」と称される。
【００１３】
投写型表示装置１０は、筐体１２と、筐体１２内に配置された光学エンジン２８と、投写レンズ１４と、を有していてよい。光学エンジン２８は、光源２０と、インテグレータユニット２２と、光学ユニット２４と、を含んでいてよい。
【００１４】
光源２０は、例えば白色光を発する放電ランプであってよい。その代わりに、光源２０は、発光ダイオードやレーザのような固体光源であってもよい。光学エンジン２８は、光源２０から発せられた光から、スクリーン等に投写するための画像光を形成することができる。
【００１５】
インテグレータユニット２２は、光源２０から発せられた光の照度分布を均一化するインテグレータレンズを含んでいてよい。また、インテグレータユニット２２は、無偏光状態の光を直線偏光に変換する偏光ビームスプリッタを含んでいてもよい。さらに、インテグレータユニットは、光学エンジン２８で形成される画像光のコントラストを向上させるために、照明光を絞るアイリスユニットを含んでいてもよい。
【００１６】
光学ユニット２４は、白色光を赤色光と緑色光と青色光とに分離する分離光学系と、赤色光用の液晶パネルと、青色光用の液晶パネルと、緑色光用の液晶パネルと、を有していてよい。各液晶パネルを挟んで両側に偏光板が設けられている。各液晶パネルは、画素ごとに光の透過または不透過を制御することができる。光学ユニット２４は、それぞれの液晶パネルを透過した赤色光と青色光と緑色光とを合成する合成光学系を含んでいてよい。合成光学系は、例えばクロスプリズムであってよい。光学ユニット２４は、各液晶パネルの制御により画像光を形成することができる。
【００１７】
投写レンズ１４は、光学ユニット２４から出射した画像光を外部のスクリーン等に投写する。
【００１８】
投写型表示装置１０は、装置内の加熱源を冷却するための沸騰冷却システムを有する。以下、沸騰冷却システムについて図１〜図４を参照して説明する。図２は、投写型表示装置１０に含まれる沸騰冷却システムの各構成要素の位置を示す概略図であり、図１の矢印２Ａ方向から見た図である。なお、図２では、筐体１２、後述の第１及び第２の受熱部３２，３４と、後述の第１及び第２の放熱部３６，３８と、後述の送風装置５２，５４，５６，５８と、投写レンズ１４の位置のみが示されている。
【００１９】
沸騰冷却システムは、第１の受熱部３２と、第２の受熱部３４と、第１の放熱部３６と、第２の放熱部３８と、を有する。図３は、床置き設置姿勢における沸騰冷却システムの、第１及び第２の受熱部３２，３２と第１及び第２の放熱部３６，３８とを示している。図４は、天吊り設置姿勢における沸騰冷却システムの、第１及び第２の受熱部３２，３２と第１及び第２の放熱部３６，３８とを示している。
【００２０】
第１の受熱部３２は、第１の配管７１と第２の配管７２とにより第１の放熱部３６と連結されている。第１の受熱部３２、第１の配管７１、第１の放熱部３６及び第２の配管７２によって第１の循環路が形成されている。第１の循環路は、第１の受熱部３２と第１の放熱部３６との間で冷媒を循環させる。第１の配管７１及び第２の配管７２は、金属からなることが好ましい。
【００２１】
第１の受熱部３２は、第３の配管７３と第４の配管７４とにより第２の放熱部３８と連結されている。第１の受熱部３２、第３の配管７３、第２の放熱部３８及び第４の配管７４によって第２の循環路が形成されている。第２の循環路は、第１の受熱部３２と第２の放熱部３８との間で冷媒を循環させる。第３の配管７３及び第４の配管７４は、金属からなることが好ましい。
【００２２】
第１の循環路と第２の循環路とは第１の受熱部３２で互いに連通している。すわなち、冷媒は、第１の受熱部３２を介して、第１の循環路と第２の循環路との間を移動することができる。
【００２３】
第２の受熱部３４は、第５の配管７５と第６の配管７６とにより第１の放熱部３６と連結されている。第２の受熱部３４、第５の配管７５、第１の放熱部３６及び第６の配管７６によって第３の循環路が形成されている。第３の循環路は、第２の受熱部３４と第１の放熱部３６との間で冷媒を循環させる。第５の配管７５及び第６の配管７６は、金属からなることが好ましい。
【００２４】
第２の受熱部３４は、第７の配管７７と第８の配管７８とにより第２の放熱部３８と連結されている。第２の受熱部３４、第７の配管７７、第２の放熱部３８及び第８の配管７８によって第４の循環路が形成されている。第４の循環路は、第２の受熱部３４と第２の放熱部３８との間で冷媒を循環させる。第７の配管７７及び第８の配管７８は、金属からなることが好ましい。
【００２５】
第３の循環路と第４の循環路とは第２の受熱部３４で互いに連通している。すわなち、冷媒は、第２の受熱部３４を介して、第３の循環路と第４の循環路との間を移動することができる。
【００２６】
第１及び第２の放熱部３６，３８は、第１及び第２の受熱部３２，３４を挟んで両側に配置されている。すなわち、第１の放熱部３６は、床置き設置姿勢において、第１及び第２の受熱部３２，３４よりも重力方向Ｇの上方に位置する（図３参照）。第２の放熱部３８は、天吊り設置姿勢において、第１及び第２の受熱部３２，３４よりも重力方向Ｇの上方に位置する（図４参照）。
【００２７】
液相の冷媒４０の液面４４，４５は、第１の設置姿勢において第１及び第２の受熱部３２，３４と第１の放熱部３６との間に位置し、第２の設置姿勢において第１及び第２の受熱部３２，３４と第２の放熱部３８との間に位置することが好ましい。
【００２８】
第１の受熱部３２は、熱の吸収により液相の冷媒４０を気相の冷媒４２に変換する。第２の受熱部３４は、熱の吸収により液相の冷媒４０を気相の冷媒４２に変換する。液相から気相に変換されるときの気化熱により、第１及び第２の受熱部３２，３４は、受熱部３２，３４の周りの温度を低下させることができる。
【００２９】
図３は、投写型表示装置が床置き設置姿勢で保持されているときの冷媒の循環を示している。床置き設置姿勢では、第１の受熱部３２で生じた気相の冷媒４２は、第１の配管７１を通って第１の放熱部３６へ移動する。第２の受熱部３４で生じた気相の冷媒４２は、第５の配管７５を通って第１の放熱部３６へ移動する。床置き設置姿勢において、第１の放熱部３６は第１及び第２の受熱部３２，３４よりも重力方向Ｇの上方に位置するため、気相の冷媒４２は、重力の作用で第１の放熱部３６へ移動することができる。
【００３０】
床置き設置姿勢では、第１の放熱部３６は、放熱により気相の冷媒４２を液相の冷媒４０に変換する。この液相の冷媒４０は、第２の配管７２を通って第１の受熱部３２へ、又は第６の配管７６を通って第２の受熱部３４へ移動する。床置き設置姿勢では、第１及び第２の受熱部３２，３４は第１の放熱部３６よりも重力方向Ｇの下方に位置するため、液相の冷媒４０は、重力の作用で第１及び第２の受熱部３２，３４へ移動することができる。
【００３１】
図４は、投写型表示装置が天吊り設置姿勢で保持されているときの冷媒の循環を示している。天吊り設置姿勢では、第１の受熱部３２で生じた気相の冷媒４２は、第３の配管７３を通って第２の放熱部３８へ移動する。第２の受熱部３４で生じた気相の冷媒４２は、第７の配管７７を通って第２の放熱部３８へ移動する。天吊り設置姿勢において、第２の放熱部３８は第１及び第２の受熱部３２，３４よりも重力方向Ｇの上方に位置するため、気相の冷媒４２は、重力の作用で第２の放熱部３８へ移動することができる。
【００３２】
天吊り設置姿勢では、第２の放熱部３８は、放熱により気相の冷媒４２を液相の冷媒４０に変換する。この液相の冷媒４０は、第４の配管７４を通って第１の受熱部３２へ、又は第８の配管７８を通って第２の受熱部３４へ移動する。天吊り設置姿勢において、第１及び第２の受熱部３２，３４は第２の放熱部３８よりも重力方向Ｇの下方に位置するため、液相の冷媒４２は、重力の作用で第１及び第２の受熱部３２，３４へ移動することができる。
【００３３】
上記のように、この沸騰冷却システムは、床置き設置姿勢と天吊り設置姿勢の両方で冷却機能を発揮することができる。また、この沸騰冷却システムは、重力により冷媒を循環させることができる。したがって、冷媒を強制的に循環させる付加的なポンプは不要である。ただし、冷媒の循環を促進するため、ポンプが使用されてもよい。
【００３４】
さらに、第１の放熱部３６は、第１及び第２の受熱部３２，３４に関して第２の放熱部３８と対称の位置に配置されていることが好ましい。この場合、床置き設置姿勢における第１及び第２の受熱部３２から液面４４までの距離が、天吊り設置姿勢における第１及び第２の受熱部３２から液面４５までの距離と実質的に同じになる。さらに、床置き設置姿勢における液面４４から第１の放熱部３６までの距離が、天吊り設置姿勢における液面４５から第２の放熱部３８までの距離と実質的に同じになる。このように、床置き設置姿勢と天吊り設置姿勢の両方で、冷媒の液面４４，４５が同じ高さに維持される。その結果、沸騰冷却システムは、床置き設置姿勢と天吊り設置姿勢の両方で同等の冷却効果を発揮することができる。
【００３５】
第１の受熱部３２と第２の受熱部３４は互いに同一の高さに配置されていることが好ましい（図３参照）。第１の受熱部３２と第２の受熱部３４は、筐体１２の中心付近、すなわち重力方向における中心に配置されていてよい。第１の放熱部３６は筐体１２の上面付近に配置されていてよく、第２の放熱部３８は筐体１２の下面付近に配置されていてよい。
【００３６】
第１及び第２の受熱部３２，３４は、冷媒が通る複数の流路により構成された熱交換面３３，３５をそれぞれ有していてよい。複数の流路は互いに平行に配置されている。この熱交換面の互いに隣接する流路間の隙間を空気が通り抜けることができる。これにより、第１及び第２の受熱部３２，３４は、熱交換面を介して外部の空気から熱を吸収する。
【００３７】
第１及び第２の受熱部３２，３４の熱交換面３３，３５は、第１及び第２の設置姿勢で重力方向に沿って配置されることが好ましい（図３参照）。これにより、熱交換面３３，３５に垂直な方向に冷却風が通り抜けることができる。したがって、第１及び第２の受熱部３２，３４の熱交換面３３，３５を通る冷却風は水平面内で効果的に循環することができる。
【００３８】
さらに、熱交換面３３，３５を構成する複数の流路は、第１及び第２の設置姿勢で重力方向に沿って延びていることが好ましい。これにより、第１及び第２の受熱部３２，３４で発生した気相の冷媒４２は、重力の作用で、急速に上方へ移動することができる。その結果、冷媒をより効率的に循環させることができる。
【００３９】
第１及び第２の放熱部３６，３８は、冷媒が通る複数の流路により構成された熱交換面３７，３９を有していてよい。複数の流路は互いに平行に配置されている。これにより、第１及び第２の放熱部３６，３８は、熱交換面３７，３９を介して外部の空気へ熱を放出する。
【００４０】
好ましい１つの態様では、第１の放熱部３６を筐体１２の上面付近に配置させるため、第１の放熱部３６の熱交換面３７は、筐体１２の上面に沿って水平方向に配置される。
【００４１】
更に好ましい１つの態様では、第２の放熱部３８を筐体１２の下面付近に配置させるため、第２の放熱部３８の熱交換面３９は、筐体１２の下面に沿って水平方向に配置される。
【００４２】
図１に示すように、第１の受熱部３２の付近には、第１〜第３の送風装置５２，５４，５６が設けられていてよい。第１〜第３の送風装置５２，５４，５６は、例えばファンであってよい。ファンは、高い圧力損失を有するダクト６０〜６４内の空気を循環させるため、高い静圧を有するブロアファンであることが好ましい。しかし、空気を循環させることができれば、ファンは軸流ファンであってもよい。
【００４３】
第１の送風装置５２は、ダクト６１，６２を介して赤色光用の液晶パネル付近の領域に向けて冷却風を吹き付ける。第２の送風装置５４は、ダクト６１，６３を介して緑色光用の液晶パネル付近の領域に向けて冷却風を吹き付ける。第３の送風装置６２は、ダクト６１，６４を青色光用の液晶パネル付近の領域に向けて冷却風を吹き付ける。各送風装置５２，５４，５６から発生した冷却風は、ダクト６２，６３，６４を通り光学エンジン２８の底面側から光学ユニット２４に吹き付けられる。
【００４４】
第１の受熱部３２はダクト６０を介して光学ユニット２４と接続されている。したがって、光学ユニット２４付近で加熱された空気は、ダクト６０を通って第１の受熱部３２へ移動する。空気は、第１の受熱部３２で冷却される。第１の受熱部３２は、ダクト６１を介して第１，第２及び第３の送風装置５２，５４，５６と接続されている。これにより、第１の受熱部３２で冷却された空気は第１，第２及び第３の送風装置５２，５４，５６へ送られる。
【００４５】
好ましい１つの態様では、第１の受熱部３２と第１の加熱源とを少なくとも取り囲む第１の防塵構造８０が設けられていてよい。本実施形態では、第１の加熱源は、光学エンジン２８の光学ユニット２４である。第１の防塵構造８０は、ダクト６０〜６４により形成されていてよい。ダクト６０〜６４により、冷却風が循環する領域に内に、粉塵やほこりが入り難くなっている。第１の放熱部３６及び第２の放熱部３８は第１の防塵構造８０の外側に配置されていてよい。
【００４６】
第１〜第３の送風装置５２，５４，５６は、第１の防塵構造８０の内部で冷却風を循環させる。第１の防塵構造８０は、その内部の光学部品や送風装置５２，５４，５６に粉塵やほこりが付着することを抑制することができる。その結果、粉塵やほこりに起因する冷却性能の低下を防止することができる。また、冷却風を循環させる空間内で粉塵やほこりの量が低減されるため、粉塵やほこりを除去するエアフィルタは不要である。ただし、ダクト６０〜６４中にエアフィルタを設けてもよい。この場合、第１の防塵構造８０のため、長期間にわたってエアフィルタの交換が不要になる。
【００４７】
図１に示すように、第２の受熱部３４の付近には、第４の送風装置５８が設けられていてよい。第４の送風装置５８は、例えばファンであってよい。ファンは、高い圧力損失を有するダクト６５〜６７内の空気を循環させるため、高い静圧を有するブロアファンであることが好ましい。しかし、空気を循環させることができれば、ファンは軸流ファンであってもよい。
【００４８】
第４の送風装置５８は、ダクト６７を介してインテグレータユニット２２付近の領域に向けて冷却風を吹き付ける。第４の送風装置５８から発生した冷却風は、ダクト６７を通り光学エンジン２８の底面側からインテグレータユニット２２に吹き付けられる。
【００４９】
第２の受熱部３４はダクト６５を介してインテグレータユニット２２と接続されている。したがって、インテグレータユニット２２付近で加熱された空気は、ダクト６５を通って第２の受熱部３４へ移動する。この空気は、第２の受熱部３４で冷却される。第２の受熱部３４は、ダクト６６を介して第４の送風装置５８と接続されている。これにより、第２の受熱部３４で冷却された空気は第４の送風装置５８へ送られる。
【００５０】
好ましい１つの態様では、第２の受熱部３４と第２の加熱源とを少なくとも取り囲む第２の防塵構造８２が設けられていてよい。本実施形態では、第２の加熱源は、光学エンジン２８のインテグレータユニット２２である。第２の防塵構造８２は、ダクト６５〜６７により形成されていてよい。ダクト６５〜６７により、冷却風が循環する領域に内に、粉塵やほこりが入り難くなっている。第１の放熱部３６及び第２の放熱部３８は第２の防塵構造８２の外側に配置されていてよい。
【００５１】
第４の送風装置５８は、第２の防塵構造８２の内部で冷却風を循環させる。第２の防塵構造８２は、その内部の光学部品や送風装置５８に粉塵やほこりが付着することを抑制することができる。その結果、粉塵やほこりに起因する冷却性能の低下を防止することができる。また、冷却風を循環させる空間内で粉塵やほこりの量が低減されるため、粉塵やほこりを除去するエアフィルタは不要である。ただし、ダクト６５〜６７中にエアフィルタを設けてもよい。この場合、第２の防塵構造８２のため、長期間にわたってエアフィルタの交換が不要になる。
【００５２】
第１及び第２の放熱部３６，３８は自然空冷で冷却されてもよい。その代わりに、第１及び第２の放熱部３６，３８を冷却する冷却風を発生させる別の送風装置が設けられていてもよい。送風装置としては、例えば軸流ファンを用いることができる。
【００５３】
図５は、一実施形態における沸騰冷却システムの構成を示す模式図である。図５は、図１に示す投写型表示装置に含まれる沸騰冷却システムのみを示している。図５に示すように、第１及び第２の受熱部３２，３４と第１及び第２の放熱部３６，３８とは、配管７１〜７８により互いに接続されることによって一体的に形成されていてよい。このように、第１及び第２の受熱部３２，３４と第１及び第２の放熱部３６，３８とは、互いに分離不能に一体的に形成されていてよい。この場合、沸騰冷却システムは、光学エンジン２８の光学ユニット２４付近へ到達した冷却風をダクト６０へ導く開口９０を有していてよい。さらに、沸騰冷却システムは、光学エンジン２８のインテグレータユニット２２付近へ到達した冷却風をダクト６５へ導く開口９２を有していてよい。
【００５４】
さらに、図６に示すように、光学エンジン２８は、一体的に形成されていてよい。ダクト６２，６３，６４，６７は、光学エンジン２８に一体的に取り付けられていてよい。この場合、筐体１２に光学エンジン２８を設置した後に、図５に示す一体的な沸騰冷却システムを組み込むことができる。このとき、送風装置５２，５４，５６，５８が、それぞれダクト６２，６３，６４，６７に接続されるようにする。これにより、投写型表示装置１０の組み立てが容易になるという利点がある。
【００５５】
インテグレータユニット２２は、温度上昇により寿命が低下する偏光変換素子やアイリスユニットを含む。また、光学ユニット２４は、温度上昇により寿命が低下する液晶パネルや偏光板などを含む。よって、投写型表示装置１０では、インテグレータユニット２２と光学ユニット２４とを強制冷却することが好ましい。インテグレータユニット２２と光学ユニット２４のみを強制冷却すれば、投写型表示装置１０の性能を十分に維持することができる。さらに、光学系エンジン２８の中で、光学ユニット２４の周囲とインテグレータユニット２２の周囲のみを防塵構造８０，８２で取り囲んでもよい。
【００５６】
上記の沸騰冷却システムは、２つの受熱部３２，３４を含んでいる。しかしながら、本発明の沸騰冷却システムは１つの受熱部のみを含んでいてもよい。この場合、上記の第２の受熱部３４及び第５〜第８の配管７５〜７８は不要である。このような沸騰冷却システムは、冷却すべき加熱源が１つだけ存在する場合に利用することができる。この場合、沸騰冷却システムの単一の受熱部は、インテグレータユニット２２と光学ユニット２４の少なくとも一方で発生した熱を吸収することが好ましい。
【００５７】
また、沸騰冷却システムは、３つ以上の受熱部を含んでいてもよい。この場合、沸騰冷却システムの第３の受熱部は、第１及び第２の受熱部３２，３４と同一の高さに配置されることが好ましい。第３の受熱部は、第１及び第２の受熱部３２，３４と同様に、配管により第１の放熱部３６，３８と第２の放熱部に接続されていてよい。
【００５８】
上記実施形態では、沸騰冷却システムは、投写型表示装置１０のインテグレータユニット２２と光学ユニット２４とを冷却する。しかしながら、沸騰冷却システムは、必要に応じて、任意の場所を冷却することができる。
【００５９】
上記実施形態では、投写型表示装置を例に挙げて本発明の沸騰冷却システムを詳細に説明した。しかしながら、本発明の沸騰冷却システムは、投写型表示装置だけでなく、任意の装置に適用することができる。
【００６０】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００６１】
１０    投写型表示装置
１２    筐体
１４    投写レンズ
２０    光源
２２    インテグレータユニット
２４    光学ユニット
２８    光学エンジン
３２    第１の受熱部
３４    第２の受熱部
３６    第１の放熱部
３８    第２の放熱部
５２    第１の送風装置
５４    第２の送風装置
５６    第３の送風装置
５８    第４の送風装置
７１    第１の配管
７２    第２の配管
７３    第３の配管
７４    第４の配管
７５    第５の配管
７６    第６の配管
７７    第７の配管
７８    第８の配管
８０    第１の防塵構造
８２    第２の防塵構造
【図１】
2015118305.tif 000003
【図２】
2015118305.tif 000004
【図３】
2015118305.tif 000005
【図４】
2015118305.tif 000006
【図５】
2015118305.tif 000007
【図６】
2015118305.tif 000008